(57)【要約】  【課題】ＩＰ電話における暗号化機能の有効／無効等の設定変更を容易化する。  【解決手段】ＩＰ電話による通話の通信暗号化を開始する合図となるダイヤル符号を暗号化識別符号として登録している暗号化情報データベース１２と、ユーザ操作されたダイヤル符号が前記暗号化識別符号と一致することを検出した場合に、該検出に続いて始まるＩＰ電話による通話を暗号化させる識別符号判定部１３とを備えている。  【選択図】  図１
2006313975.tif 000002
【特許請求の範囲】
【請求項１】
ＩＰ電話による通話の通信暗号化を行う合図となるダイヤル符号を暗号化識別符号として登録している暗号化情報データベースと、
ユーザ操作されたダイヤル符号が前記暗号化識別符号と一致することを検出した場合に該検出に続いて始まるＩＰ電話による通話を暗号化させる識別符号判定部と、
を備えていることを特徴とするＩＰ電話装置。
【請求項２】
ＩＰ電話の暗号化設定として暗号化パラメータ毎に複数の設定値を登録しており、かつ、前記暗号化パラメータの種別を識別するダイヤル符号を暗号化パラメータ識別符号として割り当てていると共に、前記各設定値の種別を識別するダイヤル符号を設定値識別符号として割り当てている暗号化情報データベースと、
ユーザ操作されたダイヤル符号が前記暗号化パラメータ識別符号と前記設定値識別符号とであることを検出した場合に、前記暗号化パラメータ識別符号に対応する暗号化パラメータには前記設定値識別符号に対応する設定値をＩＰ電話の通話の暗号化に反映させる識別符号判定部と、
を備えていることを特徴とするＩＰ電話装置。
【請求項３】
前記識別符号判定部は、前記暗号化パラメータ識別符号と前記設定値識別符号とを１組として複数組ダイヤルされたダイヤル符号を判別することで、複数の暗号化パラメータに関して前記設定識別符号に対応する設定値をＩＰ電話の通話の暗号化に反映させる構成としている請求項２に記載のＩＰ電話装置。
【請求項４】
前記暗号化情報データベースに保存された前記暗号化パラメータ識別符号あるいは／および前記設定値識別符号は、外部入力機器からのユーザ操作により変更可能としている請求項２または請求項３に記載のＩＰ電話装置。
【発明の詳細な説明】
【技術分野】
【０００１】
本発明は、ＩＰ電話装置に関し、詳しくは、ＩＰ電話による音声通話の通信暗号化を行うものである。
【背景技術】
【０００２】
近年、従来の加入電話に代わる新しい電話形態として、インターネットをはじめとするＩＰ網を利用して音声を伝送するＩＰ電話が注目されており、既に実用化が開始されている（特開２００５−４５３８２号公報等）。
一般的なＩＰ電話システムについて図７を用いて説明すると、ＩＰ電話アダプタは、電話機からのダイヤル信号や音声信号に対して必要な処理を行い、パケット化してＩＰ網に送信する。ＩＰ網における発信や着信の制御(呼制御)は呼制御サーバにより行われ、通話中のＩＰ電話の音声パケットは呼制御サーバを経由せず直接やりとりされる。
【０００３】
次に、ＩＰ電話の一般的な接続シーケンスについて図８を用いて簡単に説明する。まず初期設定として、ユーザはＩＰ電話サービス事業者から付与されたＩＰ電話番号をＩＰ電話アダプタに設定後、ＩＰ電話アダプタをＩＰ網に接続する。その後ＩＰ電話アダプタは自動的にＩＰアドレスを取得し、ＩＰアドレスとＩＰ電話番号を呼制御サーバへ登録する。
そして、ユーザＡが電話機Ａの受話器を上げると、ＩＰ電話アダプタＡは電話機Ａに発信音を送出する。その後、相手先電話番号をダイヤルすると、ＩＰ電話アダプタＡは相手先電話番号を呼制御プロトコルの接続要求メッセージにのせて呼制御サーバに送信する。呼制御サーバは図７に示すようなＩＰ電話番号とＩＰアドレスの対応表を管理している。呼制御サーバは相手先電話番号に対応するＩＰアドレスを調べ、そのＩＰアドレスに対して接続要求メッセージを伝送する。
【０００４】
接続要求メッセージを受信したＩＰ電話アダプタＢは電話機Ｂに対して着信音を送出して着信を通知すると共に、呼制御サーバ経由でＩＰ電話アダプタＡに対して呼出中であることを示すメッセージを送信する。ＩＰ電話アダプタＡはこれを受けて電話機Ａに呼出音を送出する。ユーザＢが電話機Ｂの受話器を上げた時、ＩＰ電話アダプタＢは呼制御サーバ経由でＩＰ電話アダプタＡに対して接続応答メッセージを送信する。按続応答メッセージを受信したＩＰ電話アダプタＡは電話機Ａに応答を通知し、通話が開始される。
【０００５】
次に、一般的なＩＰ電話アダプタ１の構成を図９に示す。信号検出部２は、電話機６からの信号を検出して信号の内容を判定する。呼制御部３は、通話する相手との接続および切断を制御する。また、市販されている殆どのＩＰ電話アダプタ１は、ＩＰ電話による通話ができない相手先については公衆電話網を利用する機能を有している。音声処理部４は、アナログ／ディジタル信号変換と音声の符号化/復号化を行う。パケット処理部５は,呼制御信号と音声信号のパケット化／脱パケット化を行う。
【０００６】
前述したＩＰ電話の主な特長としては、（１）同じプロバイダが提供するＩＰ電話サービスのユーザであれば、時間や距離にかかわらず無料または低料金で通話できる点。（２）０５０番号を利用することにより、引越しや移転等があっても電話番号を変更しなくてよい点、（３）ＩＰ電話と他のアプリケーションを融合した新サービス等の大きな可能性を秘めている点などが挙げられる。
しかしながら、ＩＰ電話はインターネット技術を利用しているため盗聴されやすいという問題がある。そこで、インターネット披術の標準化団体であるＩＥＴＦ(Internet Engineering Task Force)では、パケットを暗号化する技術であるＳＲＴＰ(Secure
Real-time Transport Protocol)を標準化(RFC3711)している。ＳＲＴＰは主に音声や動画などのリアルタイム通信を暗号化する技術であり、ＩＰ電話の暗号化方式として期待されている。
【０００７】
そこで、暗号化機能を搭載した一般的なＩＰ電話アダプタの構成を図１０に示す。暗号化処理部７は、音声信号をユーザ設定値に従って暗号化／復号化する。暗号化情報データベース８は一般的に図１１に示す構成となっており、Ｉ／Ｏ部１０で接続されたパソコンＰＣからデータベース管理部９により設定可能としている。暗号化パラメータの例としては、暗号化機能の有効/無効、暗号化に使用するアルゴリズム、暗号キーの更新ライフタイム等がある。デフォルト設定値は工場出荷時の設定値を意味し、ユーザ設定値はユーザが独自に設定変更した値を意味する。図１１では暗号化パラメータである暗号化有効／無効の設定をユーザが独自に「無効」から「有効」、暗号化アルゴリズムを「ＤＥＳ」（Ｄａｔａ  Ｅｎｃｒｙｐｔｉｏｎ  Ｓｔａｎｄａｒｄ）から「３ＤＥＳ」に変更した例を示している。
【０００８】
ＩＰ電話の暗号化を行う場合は、相手先と暗号化情報を交渉する。交渉方法の１つとしては、発信側ＩＰ電話アダプタが接続要求メッセージに暗号化情報を付加して送信する。このときの暗号化情報は、ユーザ設定値を反映した暗号化パラメータ群である。着信側ＩＰ電話アダプタは、その暗号化情報が受け入れられるものであれば接続応答メッセージに暗号化情報を付加して送信し、受け入れられない若しくは暗号化機能を搭載していない場合はエラーメッセージを返して終了する。
【０００９】
ところで、前記ＩＰ電話アダプタに関する種々の暗号化パラメータの設定は、一般的にはＩＰ電話アダプタにパソコンを接続した後、パソコンからＩＰ電話アダプタにアクセスし、パソコンに表示されるパラメータ設定用のＷＥＢインタフェースを介して設定を行うのが通常である。
しかしながら、暗号化機能の有効／無効の設定や他の暗号化パラメータの設定変更を行う場合に、わざわざパソコンを起動して行うとすれば、非常に手間が掛かり煩わしいという問題がある。特に、パソコンは起動するまでに時間が掛かるためユーザにストレスを与えてしまうと共に、パソコン操作に不慣れなユーザは暗号化設定そのものが行えないという不都合が生じる。
【００１０】
【特許文献１】特開２００５−４５３８２号公報
【非特許文献１】ＳＩＰ教科書（監修：千村保文、村田利文、ＩＤＧジャパン、２００３年５月）
【発明の開示】
【発明が解決しようとする課題】
【００１１】
本発明は、前記問題に鑑みてなされたもので、ＩＰ電話における暗号化機能の有効／無効等の設定変更が容易に行えるようにすることを課題としている。
【課題を解決するための手段】
【００１２】
前記課題を解決するため、本発明は第１に、ＩＰ電話による通話の通信暗号化を行う合図となるダイヤル符号を暗号化識別符号として登録している暗号化情報データベースと、
ユーザ操作されたダイヤル符号が前記暗号化識別符号と一致することを検出した場合に、該検出に続いて始まるＩＰ電話による通話を暗号化させる識別符号判定部と、
を備えていることを特徴とするＩＰ電話装置を提供している。
【００１３】
前記構成とすると、ユーザはわざわざパソコン等からアクセスして暗号化開始の設定を行う必要が無く、その場の必要に応じてＩＰ電話の通話の暗号化をダイヤル操作により簡単に設定することができ、設定作業の大幅な簡素化が図られる。また、電話機操作だけで暗号化設定が可能であるので、パソコン等に不慣れなユーザでも抵抗なく操作でき、ユーザの操作性や汎用性が飛躍的に向上する。
なお、本発明のＩＰ電話装置は、電話機本体と別体のＩＰ電話アダプタでもよいし、電話機本体と一体型であってもよい。また、前記ダイヤル符号は、例えば０〜９の数字や＊，＃の記号を利用したものであると好適である。また、プッシュ電話、ダイヤル電話のいずれにも適用可能であることは言うまでもない。
【００１４】
本発明は、第２に、ＩＰ電話の暗号化設定として暗号化パラメータ毎に複数の設定値を登録しており、かつ、前記暗号化パラメータの種別を識別するダイヤル符号を暗号化パラメータ識別符号として割り当てていると共に、前記各設定値の種別を識別するダイヤル符号を設定値識別符号として割り当てている暗号化情報データベースと、
ユーザ操作されたダイヤル符号が前記暗号化パラメータ識別符号と前記設定値識別符号とであることを検出した場合に、前記暗号化パラメータ識別符号に対応する暗号化パラメータには前記設定値識別符号に対応する設定値をＩＰ電話の通話の暗号化に反映させる識別符号判定部と、
を備えていることを特徴とするＩＰ電話装置を提供している。
【００１５】
前記構成とすると、ユーザは各種暗号化パラメータの設定値をパソコン等からアクセスして変更する必要がなく、ダイヤル操作だけで行うことができるので、暗号化設定作業の大幅な簡素化が図られてユーザ操作性が飛躍的に向上する。なお、暗号化パラメータの例としては、暗号化機能の有効／無効や、暗号化アルゴリズムの種類や、暗号キーの更新ライフタイムや、暗号化後データの認証アルゴリズムの種類などが挙げられる。また、第１の発明と同様に、前記ＩＰ電話装置は、電話機本体と別体のＩＰ電話アダプタでもよいし、電話機本体と一体型であってもよい。また、前記ダイヤル符号は、例えば０〜９の数字や＊，＃の記号を利用するとよい。また、プッシュ電話、ダイヤル電話のいずれにも適用可能である。
【００１６】
前記識別符号判定部は、前記暗号化パラメータ識別符号と前記設定値識別符号とを１組として複数組ダイヤルされたダイヤル符号を判別することで、複数の暗号化パラメータに関して前記設定識別符号に対応する設定値をＩＰ電話の通話の暗号化に反映させる構成としていると好ましい。
前記構成とすると、複数の暗号化パラメータに関して一連のダイヤル操作で一括して設定変更することが可能となりユーザの操作性がさらに向上する。
【００１７】
前記暗号化情報データベースに保存された前記暗号化パラメータ識別符号あるいは／および前記設定値識別符号は、外部入力機器からのユーザ操作により変更可能としていると好ましい。
【００１８】
即ち、暗号化設定をダイヤル操作で行うための暗号化パラメータ識別符号や設定値識別符号は他人に知られないことが好ましいので、前記構成とすると、ＩＰ電話装置にパソコン等の外部入力機器を接続して変更することが可能となり、セキュリティ性が向上する。また、ユーザが憶えやすい符号にカスタマイズ変更できるため、忘れにくくなるという利点もある。
【発明の効果】
【００１９】
上述したように、本発明によれば、ユーザはわざわざパソコン等からアクセスして暗号化の設定を行う必要が無く、ＩＰ電話の通話の暗号化をダイヤル操作により簡単に設定することができ、設定作業を非常に簡単なものとすることができる。
【発明を実施するための最良の形態】
【００２０】
本発明の実施形態を図面を参照して説明する。
図１乃至図３は第１実施形態を示す。
実施形態のＩＰ電話アダプタ１１（ＩＰ電話装置）は前記図７に示すＩＰ電話システムに適用したもので、システムの全体的な構成は前記図７と同様であるため説明を省略する。
【００２１】
ＩＰ電話アダプタ１１は、図１に示すように、信号検出部２と、呼制御部３と、音声処理部４と、パケット処理部５と、暗号化処理部７と、暗号化情報データベース１２と、データベース管理部９と、Ｉ／Ｏ部１０と、識別符号判定部１３とを備えている。
信号検出部２は、電話機６から送信されるダイヤル信号や音声信号を検出する機能を有する。呼制御部３は、音声以外のダイヤル信号をデジタル化したり、通話開始時に呼制御サーバに送信する相手先電話番号等を含む接続要求メッセージの作成等を行う機能を有する。音声処理部４は、電話機６から送信される音声データをアナログからデジタルに変換する機能を有する。パケット処理部５は、呼制御部３や音声処理部４から送信されるデータのパケット化を行ってＩＰ網に送信したり、ＩＰ網から受信したデータの脱パケット化を行う機能を有する。暗号化処理部７は、暗号化情報データベース１２に登録された設定内容に基づいて音声データの暗号化／復号化を行う機能を有する。
【００２２】
暗号化情報データベース１２は、図２に示すように、暗号化パラメータの種別と、各暗号化パラメータの工場出荷時の設定内容であるデフォルト設定値と、各暗号化パラメータのユーザカスタマイズされた設定内容であるユーザ設定値とを登録している。詳しくは、暗号化パラメータとして、暗号化の有効／無効の設定や、暗号キーの更新ライフタイム（乱数により発生する暗号キーの更新までの時間）や、暗号化アルゴリズムや、暗号化識別符号などがある。ここで、暗号化識別符号は、他の暗号化パラメータの設定内容を基にして通話の暗号化を開始する合図となるダイヤル符号を意味している。各パラメータのデフォルト設定値は、暗号化が有効で、暗号キーの更新ライフタイムが１日で、暗号化アルゴリズムがＤＥＳ（Ｄａｔａ  Ｅｎｃｒｙｐｔｉｏｎ  Ｓｔａｎｄａｒｄ）で、暗号化識別符号が７７７としている。各パラメータのユーザ設定値は、暗号化が有効で、暗号キーのライフタイムが１日で、暗号化アルゴリズムが３ＤＥＳで、暗号化識別符号が２３４としている。なお、ユーザ設定値は、Ｉ／Ｏ部１０に接続されたパソコンＰＣ（外部入力機器）を操作してデータベース管理部９により設定を行っている。
【００２３】
識別符号判定部１３は、ユーザ操作により電話機６から送信されたダイヤル符号が暗号化情報データベース１２に登録された暗号化識別符号と一致することを検出した場合に、ＩＰ電話による通話の暗号化開始を信号検出部２に指令する機能を有する。
データベース管理部９は、暗号化データベース１２の設定内容の変更に関する演算処理を行う機能を有する。Ｉ／Ｏ部１０は、パソコンＰＣをイーサネット（登録商標）ケーブル等を介してＩＰ電話アダプタ１１のデータベース管理部９に接続するインターフェース機能を有する。
【００２４】
次に、ＩＰ電話アダプタ１１の動作について説明する。
図３に示すように、発信側ユーザはＩＰ電話による通話を暗号化して行う場合、電話機６から受話器を上げ（ステップＳ１）、最初に暗号化識別符号「２３４」をダイヤルし、その後、相手先電話番号をダイヤルする（ステップＳ２）。一方、暗号化しない場合は相手先電話番号のみダイヤルする。ＩＰ電話アダプタ１１は、信号検出部２で検出したダイヤル信号を識別符号判定部１３に送る。識別符号判定部１３は、暗号化情報データベース１２に登録されている暗号化識別符号（２３４）を参照して、ダイヤルされた符号の最初の符号が暗号化識別符号かどうかを判定し、その結果を信号検出部２に返す（ステップＳ３）。暗号化識別符号と判定した場合、信号検出部２は呼制御部３に対して、暗号化情報データベース１２の各暗号化パラメータの内容を反映させた暗号化情報を付加した接続要求メッセージを作成するよう要求する（ステップＳ４）。識別符号判定部１３で暗号化識別符号が検出されなかった場合は、暗号化されない通常の接続要求メッセージを作成する（ステップＳ５）。最後に、その接続要求メッセージを呼制御サーバに送信して接続処理を開始する（ステップＳ６）。
【００２５】
以上の構成とすると、ユーザはパソコンＰＣからアクセスして暗号化開始の設定を行う必要が無く、その場の必要に応じて、相手先電話番号の先頭に暗号化識別符号である「２３４」をダイヤルするだけで通話の暗号化開始を簡単に設定することができる。
したがって、設定作業の大幅な簡素化が図られると共にユーザ操作性が飛躍的に向上する。なお、本実施形態では暗号化識別符号を「２３４」と数字のみにしているが、＊や＃の記号を使用したものであってもよい。また、ＩＰ電話アダプタ１１は電話機６と一体型としてもよい。
【００２６】
図４乃至図５は第２実施形態を示す。
第１実施形態との相違点は、暗号化パラメータの設定値を予め複数用意し、ダイヤル操作によりパラメータ設定を変更可能としている点である。
【００２７】
ＩＰ電話アダプタ１１の構成は図１と同様であり、暗号化情報データベース１２および識別符号判定部１３の内容が相違している。本実施形態の暗号化情報データベース１２には、図４に示すように、各暗号化パラメータに対応して複数の設定値を予め登録している。例えば、暗号化の有効／無効については設定値として有効と無効の２種類を用意し、暗号キーの更新ライフタイムについては設定値として１Ｈ（１時間）、５Ｈ（５時間）、１日、３日の４種類を用意し、暗号化アルゴリズムについては設定値としてＤＥＳと３ＤＥＳの２種類を用意している。
【００２８】
また、暗号化情報データベース１２では、夫々の暗号化パラメータの種別を識別するためのダイヤル符号を各暗号化パラメータ毎に暗号化パラメータ識別符号として割り当てている。例えば、暗号化パラメータ識別符号は、暗号化の有効／無効については「３０１」、暗号キーの更新ライフタイムについては「３０２」、暗号化アルゴリズムについては「３０３」としている。
【００２９】
さらに、暗号化パラメータに対応する各設定値の種別を識別する枝番であるダイヤル符号を各設定値毎に設定値識別符号として割り当てている。例えば、設定値識別符号は、暗号化の有効／無効に関しては有効を「１」、無効を「２」としており、暗号キーの更新ライフタイムに関しては１Ｈを「１」、５Ｈを「２」、１日を「３」、３日を「４」としており、暗号化アルゴリズムに関してはＤＥＳを「１」、３ＤＥＳを「２」としている。なお暗号化パラメータ識別符号および設定値識別符号は、必要に応じてパソコンＰＣからの操作により桁数や符号を変更してもよい。
【００３０】
識別符号判定部１３は、ユーザ操作により電話機６から送信されたダイヤル符号が暗号化情報データベース１２に登録された暗号化パラメータ識別符号と設定値識別符号とであることを検出した場合に、その暗号化パラメータに関してその設定値識別符号に対応する設定値を接続要求値に反映させることを信号検出部２に指令する機能を有する。ここで、接続要求設定値は、接続要求メッセージに付加される設定値であり一時的にメモリに保持されるものである。なお、他の構成は第１実施形態と同様であるため説明を省略する。
【００３１】
次に、第２実施形態のＩＰ電話アダプタの動作について説明する。
図５に示すように、発信側ユーザはＩＰ電話による通話を暗号化して行う場合、電話機６から受話器を上げ（ステップＳ１０）、最初に暗号化識別符号「２３４」をダイヤルする（ステップＳ１１）。一方、暗号化しない場合は相手先電話番号のみダイヤルする。さらに、特定の暗号化パラメータを変更したい場合、暗号化識別符号の後に変更したい暗号化パラメータ識別符号をダイヤルし、適用する設定値に対応する設定値識別符号をダイヤルする。なお、図５に示すように、複数の暗号化パラメータを変更することも可能である。そして、変更する暗号化パラメータの暗号化パラメータ識別符号および設定値識別符号のダイヤルが終了した後、相手先電話番号をダイヤルする。
【００３２】
ＩＰ電話アダプタの信号検出部２はダイヤル信号を検出後、ダイヤル信号を識別符号判定部１３に送る。識別符号判定部１３は、暗号化情報データベース１２に登録されている暗号化識別符号を参照し、ダイヤルされた符号の最初の符号が暗号化識別符号かどうかを判定する（ステップＳ１２）。該最初の符号が暗号化識別符号と一致しない場合には、その結果を信号検出部２に返し、信号検出部２から呼制御部３に対して指令して、暗号化されない通常の接続要求メッセージを作成し（ステップＳ１３）、該接続要求メッセージを呼制御サーバに送信する（ステップＳ１４）。
【００３３】
一方、該最初の符号が暗号化識別符号と一致する場合には、識別番号判定部１３は、暗号化識別符号の後に続くダイヤル符号が暗号化情報データベース１２に登録されている暗号化パラメータ識別符号かどうかを判定する（ステップＳ１５）。暗号化パラメータ識別符号でない場合には、その結果を信号検出部２に返し、信号検出部２から呼制御部３に対して指令して、暗号化情報データベース１２に登録された暗号化パラメータのユーザ設定値を反映させた暗号化情報を付与した接続要求メッセージを作成し（ステップＳ２０）、接続要求メッセージを呼制御サーバに送信する（ステップＳ１４）。
【００３４】
一方、暗号化識別符号の後に続くダイヤル符号が暗号化パラメータ識別符号と一致する場合には、暗号化パラメータ識別符号の後に続くダイヤル符号が暗号化情報データベース１２に登録されている設定値識別符号として有効であると判定した場合は（ステップＳ１６）、暗号化パラメータ識別符号に対応する暗号化パラメータの接続要求設定値を設定値識別符号で指定された設定値に変更してメモリに保持する（ステップＳ１７）。ダイヤルされた符号が設定値識別符号として有効でない場合、例えば、暗号化の有効／無効の暗号化パラメータに対する設定値識別符号が１あるいは２でない場合にはエラー処理として切断する（ステップＳ１９）。
【００３５】
さらに、有効に検出された設定値識別符号の後に続くダイヤル符号が、暗号化情報データベース１２に登録されている暗号化パラメータ識別符号かどうかを判定する（ステップＳ１８）。暗号化パラメータ識別符号でない場合には、その結果を信号検出部２に返し、信号検出部２から呼制御部３に対して指令して、ステップＳ１７で変更された暗号化パラメータ以外の変更要求のない暗号化パラメータについては、暗号化情報データベース１２に登録されたユーザ設定値の複製を接続要求設定値に反映させ、該接続要求設定値の暗号化情報を付与した接続要求メッセージを作成し（ステップＳ２０）、接続要求メッセージを呼制御サーバに送信する（ステップＳ１４）。
【００３６】
一方、暗号化識別符号の後に続くダイヤル符号が暗号化パラメータ識別符号と一致する場合には、前述同様にステップＳ１６およびステップＳ１７を繰り返した上で、呼制御部３によりメモリ保持された接続要求設定値を利用して接続要求メッセージを作成し（ステップＳ２０）、接続要求メッセージを呼制御サーバに送信する（ステップＳ１４）。
【００３７】
次に、更に具体的な一例として、相手先電話番号が０５０−１２３４−６７８９、暗号化情報データベース１２が図４で表される場合に、暗号化パラメータを変更して暗号化を行う方法について説明する。
例えば、一時的に暗号キーの更新ライフタイムを１日から３日に変更し、暗号化アルゴリズムをＤＥＳから３ＤＥＳに変更して暗号化したいとする。このときユーザは下記のようにダイヤルすればよいことになる。
２３４−３０２−４−３０３−２−０５０−１２３４−６７８９
【００３８】
即ち、暗号化識別符号の「２３４」をダイヤル後、暗号化パラメータの暗号キーの更新ライフタイムを表す暗号化パラメータ識別符号の「３０２」をダイヤルし、設定値の３日を表す設定値識別符号の「４」をダイヤルする。引き続き暗号化パラメータの暗号化アルゴリズムを表す「３０３」をダイヤルし、設定値の３ＤＥＳを表す設定値識別符号の「２」をダイヤルする。その後に相手先電話番号である０５０−１２３４−６７８９をダイヤルする。これにより、暗号化情報データベース１２の接続要求設定値は図６のようになり変更された状態でメモリ保持され、この接続要求設定値を利用して接続要求メッセージが作成される。
【００３９】
以上の構成とすると、ユーザは各種暗号化パラメータの設定値をわざわざパソコンＰＣからアクセスして変更する必要がなく、電話機６のダイヤル操作だけで行うことができるので、暗号化設定作業の大幅な簡素化を図ることが可能となる。また、複数の暗号化パラメータに関して一連のダイヤル操作で一括して設定変更することが可能となりユーザの操作性が向上する。
【図面の簡単な説明】
【００４０】
【図１】本発明の第１実施形態のＩＰ電話アダプタを示すブロック図である。
【図２】暗号化情報データベースを示す図面である。
【図３】ＩＰ電話アダプタの動作を説明するフローチャートである。
【図４】第２実施形態の暗号化情報データベースを示す図面である。
【図５】ＩＰ電話アダプタの動作を説明するフローチャートである。
【図６】変更操作後の接続要求設定値を示す図面である。
【図７】ＩＰ電話システムの概略図である。
【図８】電話機Ａから電話機Ｂに発信する場合のシーケンスを示す図面である。
【図９】従来例のＩＰ電話アダプタを示すブロック図である。
【図１０】別の従来例のＩＰ電話アダプタを示すブロック図である。
【図１１】従来の暗号化情報データベースを示す図面である。
【符号の説明】
【００４１】
２      信号検出部
３      呼制御部
４      音声処理部
５      パケット処理部
６      電話機
７      暗号化処理部
１１    ＩＰ電話アダプタ（ＩＰ電話装置）
１２    暗号化情報データベース
１３    識別符号判定部
【図１】
2006313975.tif 000003
【図２】
2006313975.tif 000004
【図３】
2006313975.tif 000005
【図４】
2006313975.tif 000006
【図５】
2006313975.tif 000007
【図６】
2006313975.tif 000008
【図７】
2006313975.tif 000009
【図８】
2006313975.tif 000010
【図９】
2006313975.tif 000011
【図１０】
2006313975.tif 000012
【図１１】
2006313975.tif 000013